(57)【要約】【課題】本発明は、マット部分に装飾を加えた額縁であって、マット部分に絵画と異質な美観を表現し額装全体を芸術的作品とすることができる額縁を提供するものである。また、板状片の結合で形成されたマット部分が簡単に壊れることのない額縁を提供することを目的とする。【解決手段】透明なカバー板が絵画の表面を覆って絵画を保護する額縁であって、前記カバー板は絵画を鑑賞するための透明部と、該透明部の周囲に複数の板状片を結合して形成した装飾部とから成る。【選択図】　図１
2004024477.tif 000002
【特許請求の範囲】
【請求項１】
透明なカバー板が絵画の表面を覆って絵画を保護する額縁であって、前記カバー板は絵画を鑑賞するための透明部と、該透明部の周囲に複数の板状片を結合して形成した装飾部とから成る額縁
【請求項２】
装飾部は、複数のガラス片を結合して形成した請求項１記載の額縁
【請求項３】
装飾部は、２色以上のガラス片をステンドグラス調に結合して形成した請求項２記載の額縁
【請求項４】
装飾部は、複数の木片を結合して形成した請求項１記載の額縁
【請求項５】
装飾部は、複数の金属片を結合して形成した請求項１記載の額縁
【請求項６】
装飾部は、複数のプラスチック片を結合して形成した請求項１記載の額縁
【請求項７】
装飾部は、ガラス片、木片、金属片若しくはプラスチック片の板状片のすべての組み合わせ又はそれらの一部の組み合わせから成る請求項１記載の額縁
【発明の詳細な説明】
【０００１】
【発明の属する技術分野】
本発明は、絵画や写真などを納める額縁に関する。
【０００２】
【従来の技術】
従来の絵画の額装は、カバー板であるガラス板と絵画の間に紙や布などで形成されたマットを挟んでいる。これは、額縁の枠と絵画の間に無地の部分を介在させることによって、絵画そのものを観賞するためである。
【０００３】
しかし、絵画の表現方法として、絵の延長線上にある額縁のマット部分も表現スペースとみなして、絵画そのものでなく額装全体で力強い作品を創作する方法もある。
【０００４】
【発明が解決しようとする課題】
額装全体で作品を創作するために、マットに直接模様を描くことが考えられる。しかし、このようにするとマットが絵画とほぼ同じような素材であるためにマットの模様が絵画の一部のように見えるので、むしろ絵画自体の持つ美観を損ねる虞がある。すなわち、額装全体で作品を創作するといっても主体は絵画であるから、マット部分の装飾は絵画と混同するものであってはならない。
【０００５】
そこで本発明は、マット部分に装飾を加えた額縁であって、マット部分に絵画と異質な美観を表現し額装全体を芸術的作品とすることができる額縁を提供するものである。また、板状片の結合で形成されたマット部分が簡単に壊れることのない額縁を提供することを目的とする。
【０００６】
【課題を解決するための手段】
本発明の請求項１は、透明なカバー板が絵画の表面を覆って絵画を保護する額縁であって、前記カバー板は絵画を鑑賞するための透明部と、該透明部の周囲に複数の板状片を結合して形成した装飾部とから成る構成である。
【０００７】
請求項２は、装飾部が複数のガラス片を結合して形成されている要素が請求項１に限定的に付加された構成であり、請求項３は、装飾部が２色以上のガラス片をステンドグラス調に結合して形成されている要素が請求項２に限定的に付加された構成であり、請求項４は、装飾部が複数の木片を結合して形成されている要素が請求項１に限定的に付加された構成である。
【０００８】
請求項５は、装飾部が複数の金属片を結合して形成されている要素が請求項１に限定的に付加された構成であり、請求項６は、装飾部が複数のプラスチック片を結合して形成されている要素が請求項１に限定的に付加された構成であり、請求項７は装飾部がガラス片、木片、金属片若しくはプラスチック片の板状片のすべての組み合わせ又はそれらの一部の組み合わせから成る要素が請求項１に限定的に付加された構成である。
【０００９】
【発明の効果】
本発明は以上のような構成であって、透明なカバー板が絵画の表面を覆って絵画を保護し、カバー板は絵画を鑑賞するための透明部と、透明部の周囲に複数の板状片を結合して形成した装飾部とから成る。したがって、本発明の額縁は、絵画の周囲に複数の板状片を結合した装飾部が存在する。装飾部は複数の板状片を結合したものであるから、絵画の素材と全く異なっており絵画と異質のものであることが一目で理解できる。したがって、額装全体を美術品として鑑賞する際に、絵画と装飾部が明確に区分けできた状態で全体的な美観として観賞することができる。すなわち、誤って装飾部を絵画の一部として見てしまうようなことがなく、絵画自体の美観を損ねることがない。
【００１０】
また、前述したように、絵画の表現方法として、絵の延長線上にある額縁のマット部分も表現スペースとみなして、絵画そのものでなく額装全体で力強い作品を創作するために、従来の紙や布製のマットの代わりにステンドガラス調のマットを作成して額縁に用いようとすると、そのマットは複数の板状片を結合した構成であって中空であるから簡単に壊れてしまう。しかし、本発明はステンドガラス調のマットを使用したいときに、それを装飾部としてカバー板の一部として透明部と一体的に形成する。すなわち、本発明のカバー板は従来のガラス板とマットを合わせて一体的に形成し、カバー板が従来の保護ガラス板とマットの両方を兼ねている点が優れている。このような構成としたので、マットの作用をなす装飾部は透明部に補強されて簡単に壊れる虞がなく、例えばステンドガラス調の装飾部とした場合であっても従来のカバー用ガラス板と同じように取扱うことができる。
【００１１】
さらに、通常の額縁は絵画の上にマットが重ねられ、それらを透明なガラスで覆っている。マットは絵画の実際に絵が描かれている部分の縁を隠す目的を有しているが、本発明の装飾部を不透明な材料で形成すれば絵画の実際に絵が描かれている部分の縁を隠すので、マットを用いる必要がない。
【００１２】
【発明の実施の形態】
次に本発明の実施の形態を図面に従って説明する。図１は絵画１入りの額縁の分解図である。額縁は、裏板２の上に下敷き３が重ねられ、その上に絵画１が重ねられている。絵画１の上には紙あるいは布などで形成されたマット４が重ねられている。マット４は絵画１の実際に絵が描かれている部分の縁１０を覆うためのものである。マット４が必要な理由は、カバー板５の装飾部６をガラス片８で形成したときは、ガラス片８は着色されたものであっても透明であるから下の絵の縁１０が見えてしまうので、それをマット４で覆うためである。したがって、装飾部６が木片などの不透明の材料で形成されているときは、装飾部６が絵の縁１０を見えないように覆うのでマット４を用いなくてもよい。
【００１３】
カバー板５は、透明部であるガラス板７の周囲に着色した多数のガラス片８を同じ平面状に結合し、ステンドガラス調の装飾部６としたものである。透明部はガラス板７に限定されるものでなく、透明なプラスチック板などであってもよいことは勿論である。また、装飾部６はガラス片８を結合したものに限定されることはなく、木片又は金属片でもよくプラスチック片でもよい。あるいはこれらを適当に組み合わせて装飾部を形成してもよい。ガラス片８等は多数でなくても複数あればよく、例えば４枚のガラス片で装飾部を構成してもよい。
【００１４】
ガラス片８はガラス板７の周囲全長に亘って結合することが好ましい。その理由は、周囲全長に亘って結合すると結合部分が長くしかも隙間なく結合するので、ガラス片８がガラス板７によって強固に補強されるからである。しかし、ガラス板７の周囲の一部がガラス片８と結合されていなくてもよいことは勿論である。ガラス片８同士あるいはガラス片８とガラス板７との結合はガラス片８が一定の形態を保持することが可能な結合であればよく、例えば接着剤による結合あるいはステンドガラスと同様の鉛等を用いた結合などが使用される。
【００１５】
本発明の額縁を組立てるときは、裏板２の上に下敷き３を重ね、その上に絵画１を重ね、その上に必要に応じてマット４を重ね、さらにその上にカバー板５を重ね、それらに枠９を嵌め、裏板２が枠９から外れないように金具で固定する。
【図面の簡単な説明】
【図１】本発明の分解斜視図
【図２】本発明の正面図
【図３】本発明の断面図
【符号の説明】
１　絵画
２　裏板
３　下敷き
４　マット
５　カバー板
６　装飾部
７　ガラス板
８　ガラス片
９　枠
１０　縁
【図１】
2004024477.tif 000003
【図２】
2004024477.tif 000004
【図３】
2004024477.tif 000005